(57)【要約】本発明は、識別番号を用いた商品検索方法に関する。本発明に係る識別番号を用いた商品検索方法は、加盟店に加盟店識別番号を割り当てるステップと、前記加盟店に対応する商品に商品識別番号を割り当てるステップと、前記加盟店識別番号及び前記商品識別番号をサーバ（Ｓｅｒｖｅｒ）に格納するステップと、顧客端末機で前記加盟店識別番号、特殊記号及び前記商品識別番号を含む検索式を入力する入力ステップと、前記顧客端末機の画面上に、前記検索式に対応する商品に関する情報を表示するステップとを含むことができる。
2019526113.tif 000002
【特許請求の範囲】
【請求項１】
加盟店に加盟店識別番号を割り当てるステップと、
前記加盟店に対応する商品に商品識別番号を割り当てるステップと、
前記加盟店識別番号及び前記商品識別番号をサーバ（Ｓｅｒｖｅｒ）に格納するステップと、
顧客端末機で前記加盟店識別番号、特殊記号及び前記商品識別番号を含む検索式を入力する入力ステップと、
前記顧客端末機の画面上に、前記検索式に対応する商品に関する情報を表示するステップとを含む、識別番号を用いた商品検索方法。
【請求項２】
前記検索式において、前記特殊記号は前記加盟店識別番号と前記商品識別番号との間に位置する、請求項１に記載の方法。
【請求項３】
前記特殊記号は、シャープ（＃）及びアスタリスクのうちの少なくとも１つを含む、請求項２に記載の方法。
【請求項４】
前記入力ステップは、
前記顧客端末機のダイヤル（Ｄｉａｌ）入力窓に前記検索式を入力するステップと、
前記ダイヤル入力窓に前記検索式が入力された状態で通話キーを選択するステップとを含む、請求項１に記載の方法。
【請求項５】
前記顧客端末機の画面上に表示された前記商品の決済を行うステップをさらに含む、請求項１に記載の方法。
【請求項６】
前記加盟店識別番号は個人識別番号を含み、
前記個人識別番号は、住民番号、電話番号及び社会保障番号のうちの少なくとも１つを含む、請求項１に記載の方法。
【請求項７】
加盟店に加盟店識別番号を割り当てるステップと、
前記加盟店に対応する商品の種類に種類識別番号を割り当てるステップと、
前記加盟店に対応する商品に商品識別番号を割り当てるステップと、
前記加盟店識別番号、前記種類識別番号及び前記商品識別番号をサーバ（Ｓｅｒｖｅｒ）に格納するステップと、
顧客端末機で前記加盟店識別番号、種類識別番号、特殊記号及び前記商品識別番号を含む検索式を入力する入力ステップと、
前記顧客端末機の画面上に前記商品に関する情報を表示するステップとを含む、識別番号を用いた商品検索方法。
【請求項８】
前記特殊記号は、第１特殊記号及び第２特殊記号を含み、
前記検索式において、前記第１特殊記号は前記加盟店識別番号と前記種類識別番号との間に位置し、前記第２特殊記号は前記種類識別番号と前記商品識別番号との間に位置する、請求項７に記載の方法。
【請求項９】
前記第１特殊記号及び前記第２特殊記号のうちの少なくとも１つは、シャープ（＃）及びアスタリスクのうちの少なくとも１つを含む、請求項８に記載の方法。
【請求項１０】
前記顧客端末機の画面上に表示された前記商品の決済を行うステップをさらに含む、請求項７に記載の方法。
【請求項１１】
前記検索式は、
前記加盟店識別番号、前記第１特殊記号、前記種類識別番号、前記第２特殊記号、前記商品識別番号を順に含むか、または
前記商品識別番号、前記第１特殊記号、前記種類識別番号、前記第２特殊記号、前記加盟店識別番号を順に含む、請求項７に記載の方法。
【請求項１２】
前記入力ステップは、
前記顧客端末機のダイヤル（Ｄｉａｌ）入力窓に前記検索式を入力するステップと、
前記ダイヤル入力窓に前記検索式が入力された状態で通話キーを選択するステップとを含む、請求項７に記載の方法。
【請求項１３】
前記加盟店識別番号は個人識別番号を含み、
前記個人識別番号は、住民番号、電話番号及び社会保障番号のうちの少なくとも１つを含む、請求項７に記載の方法。
【発明の詳細な説明】
【技術分野】
【０００１】
本発明は、識別番号を用いた商品検索方法に関する。
【背景技術】
【０００２】
移動通信技術は、初期に単純な音声通話機能のみを提供したのに比べ、最近は、短文メッセージサービスをはじめとする様々なサービス機能が追加されて利用度が大幅に増加しており、特に、最近は、ＷＡＰ（Ｗｉｒｅｌｅｓｓ  Ａｐｐｌｉｃａｔｉｏｎ  Ｐｒｏｔｏｃｏｌ）、ＭＥ（Ｍｏｂｉｌｅ  Ｅｘｐｌｏｒｅｒ）などに代表される無線インターネットサービスが急速に発展して、スマートフォン、スマートパッド、スマートＴＶなどのスマート端末機を用いた無線インターネットの使用が普遍化していることから、このような無線インターネット及び無線通信技術をベースとした各種アプリケーションプログラム（以下、「アプリ」という）が開発及び利用されている。
【０００３】
これによって、スマート端末機などの移動通信端末機を用いて、できる限り迅速かつ効率的に無線インターネット又はアプリケーションを利用できるようにする技術が開発されている。
【０００４】
従来は、所望の商品を検索しようとする場合には、当該商品を販売するホームページに接続し、接続したホームページで名称あるいは番号を用いて所望の商品を検索した。
【０００５】
このような従来の技術によれば、所望の商品を検索するのに相対的に長い時間がかかり、検索方法が複雑であるという問題がある。
【発明の概要】
【発明が解決しようとする課題】
【０００６】
本発明は、識別番号と特殊記号を使用して所望の商品を検索する、識別番号を用いた商品検索方法を提供することにその目的がある。
【課題を解決するための手段】
【０００７】
本発明に係る識別番号を用いた商品検索方法は、加盟店に加盟店識別番号を割り当てるステップと、前記加盟店に対応する商品に商品識別番号を割り当てるステップと、前記加盟店識別番号及び前記商品識別番号をサーバ（Ｓｅｒｖｅｒ）に格納するステップと、顧客端末機で前記加盟店識別番号、特殊記号及び前記商品識別番号を含む検索式を入力する入力ステップと、前記顧客端末機の画面上に、前記検索式に対応する商品に関する情報を表示するステップとを含むことができる。
【０００８】
また、前記検索式において、前記特殊記号は前記加盟店識別番号と前記商品識別番号との間に位置することができる。
【０００９】
また、前記特殊記号は、シャープ（＃）及びアスタリスクのうちの少なくとも１つを含むことができる。
【００１０】
また、前記入力ステップは、前記顧客端末機のダイヤル（Ｄｉａｌ）入力窓に前記検索式を入力するステップ、及び前記ダイヤル入力窓に前記検索式が入力された状態で通話キーを選択するステップを含むことができる。
【００１１】
また、前記顧客端末機の画面上に表示された前記商品の決済を行うステップをさらに含むことができる。
【００１２】
また、前記加盟店識別番号は個人識別番号を含み、前記個人識別番号は、住民番号、電話番号及び社会保障番号のうちの少なくとも１つを含むことができる。
【００１３】
本発明に係る他の識別番号を用いた商品検索方法は、加盟店に加盟店識別番号を割り当てるステップと、前記加盟店に対応する商品の種類に種類識別番号を割り当てるステップと、前記加盟店に対応する商品に商品識別番号を割り当てるステップと、前記加盟店識別番号、前記種類識別番号及び前記商品識別番号をサーバ（Ｓｅｒｖｅｒ）に格納するステップと、顧客端末機で前記加盟店識別番号、種類識別番号、特殊記号及び前記商品識別番号を含む検索式を入力する入力ステップと、前記顧客端末機の画面上に前記商品に関する情報を表示するステップとを含むことができる。
【００１４】
また、前記特殊記号は、第１特殊記号及び第２特殊記号を含み、前記検索式において、前記第１特殊記号は前記加盟店識別番号と前記種類識別番号との間に位置し、前記第２特殊記号は前記種類識別番号と前記商品識別番号との間に位置することができる。
【００１５】
また、前記第１特殊記号及び前記第２特殊記号のうちの少なくとも１つは、シャープ（＃）及びアスタリスクのうちの少なくとも１つを含むことができる。
【００１６】
また、前記顧客端末機の画面上に表示された前記商品の決済を行うステップをさらに含むことができる。
【００１７】
また、前記検索式は、前記加盟店識別番号、前記第１特殊記号、前記種類識別番号、前記第２特殊記号、前記商品識別番号を順に含むか、または前記商品識別番号、前記第１特殊記号、前記種類識別番号、前記第２特殊記号、前記加盟店識別番号を順に含むことができる。
【００１８】
また、前記入力ステップは、前記顧客端末機のダイヤル（Ｄｉａｌ）入力窓に前記検索式を入力するステップ、及び前記ダイヤル入力窓に前記検索式が入力された状態で通話キーを選択するステップを含むことができる。
【００１９】
また、前記加盟店識別番号は個人識別番号を含み、前記個人識別番号は、住民番号、電話番号及び社会保障番号のうちの少なくとも１つを含むことができる。
【発明の効果】
【００２０】
本発明に係る識別番号を用いた商品検索方法は、識別番号と特殊記号との組み合わせのみで所望の商品を検索できるので、検索が容易であり、検索にかかる時間を短縮できる効果がある。
【図面の簡単な説明】
【００２１】
【図１】本発明に係る識別番号を用いた商品検索方法が適用される検索システムについて説明するための図である。
【図２】本発明に係る識別番号を用いた商品検索方法が適用される検索システムについて説明するための図である。
【図３】本発明に係る識別番号を用いた商品検索方法について説明するための図である。
【図４】本発明に係る識別番号を用いた商品検索方法について説明するための図である。
【図５】本発明に係る識別番号を用いた商品検索方法について説明するための図である。
【図６】本発明に係る識別番号を用いた商品検索方法について説明するための図である。
【図７】本発明に係る識別番号を用いた商品検索方法について説明するための図である。
【図８】本発明に係る識別番号を用いた商品検索方法について説明するための図である。
【図９】本発明に係る識別番号を用いた商品検索方法について説明するための図である。
【図１０】本発明に係る識別番号を用いた商品検索方法について説明するための図である。
【図１１】個人識別番号を用いた商品検索方法について説明するための図である。
【図１２】個人識別番号を用いた商品検索方法について説明するための図である。
【図１３】個人識別番号を用いた商品検索方法について説明するための図である。
【図１４】種類識別番号を用いた商品検索方法について説明するための図である。
【図１５】種類識別番号を用いた商品検索方法について説明するための図である。
【図１６】種類識別番号を用いた商品検索方法について説明するための図である。
【図１７】種類識別番号を用いた商品検索方法について説明するための図である。
【図１８】種類識別番号を用いた商品検索方法について説明するための図である。
【発明を実施するための形態】
【００２２】
以下、添付の図面を参照して、本発明に係る識別番号を用いた商品検索方法について詳細に説明する。
【００２３】
本発明は、様々な変更を加えることができ、様々な実施例を有することができるところ、特定の実施例を図面に例示し、詳細な説明で詳しく説明する。これは、本発明を特定の実施形態に限定するためのものではなく、本発明の思想及び技術範囲に含まれるすべての変更、均等物乃至代替物を含むものと理解することができる。
【００２４】
本発明を説明するにおいて、「第１」、「第２」などの用語は、様々な構成要素を説明するために使用できるが、前記構成要素は、前記用語によって限定されてはならない。前記用語は、一つの構成要素を他の構成要素と区別する目的でのみ使用できる。例えば、本発明の権利範囲を逸脱しない限り、第１構成要素は第２構成要素と命名することができ、同様に、第２構成要素も第１構成要素と命名することができる。
【００２５】
「及び／又は」という用語は、複数の関連する記載項目の組み合わせ、又は複数の関連する記載項目のいずれか一項目を含むことができる。
【００２６】
ある構成要素が他の構成要素に「連結」又は「接続」されていると言及される場合は、その他の構成要素に直接的に連結又は接続されていることもあるが、その構成要素間に他の構成要素が存在することもあると理解することができる。反面、ある構成要素が他の構成要素に「直接連結」又は「直接接続」されていると言及された場合には、その構成要素間に他の構成要素が存在しないものと理解することができる。
【００２７】
本出願で使用した用語は、単に特定の実施例を説明するために使用されたもので、本発明を限定しようとする意図ではない。単数の表現は、文脈上明らかに別の意味を示すものでない限り、複数の表現を含むことができる。
【００２８】
本出願において、「含む」又は「有する」などの用語は、明細書上に記載された特徴、数字、段階、動作、構成要素、部品またはこれらを組み合わせたものが存在することを指定しようとするものであって、１つ又はそれ以上の他の特徴や数字、段階、動作、構成要素、部品またはこれらを組み合わせたものの存在又は付加可能性をあらかじめ排除しないものと理解することができる。
【００２９】
別に定義されない限り、技術的又は科学的な用語を含めてここで使用される全ての用語は、本発明の属する技術分野における通常の知識を有する者によって一般的に理解されるものと同じ意味を有することができる。一般的に使用される辞書に定義されている用語は、関連技術の文脈上有する意味と一致する意味を有するものと解釈することができ、本出願で明らかに定義しない限り、理想的又は過度に形式的な意味として解釈してはならない。
【００３０】
なお、以下の実施例は、当業界において平均的な知識を有する者にさらに完全に説明するために提供されるものであって、図面での要素の形状及び大きさなどは、より明確な説明のために誇張されることがある。
【００３１】
以下で説明される様々な実施例は、ソフトウェア、ハードウェア、またはこれらが組み合わされたものを用いて、コンピュータ又はこれと類似の装置で読み取り可能な記録媒体内で具現することができる。
【００３２】
ハードウェア的な具現によれば、本発明の実施例は、ＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ（ｐｒｏｃｅｓｓｏｒｓ）、制御器（ｃｏｎｔｒｏｌｌｅｒｓ）、マイクロコントローラ（ｍｉｃｒｏ−ｃｏｎｔｒｏｌｌｅｒｓ）、マイクロプロセッサ（ｍｉｃｒｏｐｒｏｃｅｓｓｏｒｓ）、機能の実行のための電気的なユニットのうちの少なくとも１つを用いて具現することができる。
【００３３】
一方、ソフトウェア的な具現によれば、本発明において手順や機能のような実施例は、少なくとも１つの機能又は作動を行うようにする別個のソフトウェアモジュールと共に具現され得る。
【００３４】
以下において、「Ａ及び／又はＢ」は「Ａ及びＢのうちの少なくとも１つ」として解釈することができる。
【００３５】
図１及び図２は、本発明に係る識別番号を用いた商品検索方法が適用される検索システムについて説明するための図である。
【００３６】
図１を説明すると、本発明に係る検索システム１０は、サーバ１００、顧客端末機２００及びサービス端末機３００を含むことができる。場合によって、検索システム１０においてサービス端末機３００は省略されてもよい。
【００３７】
サーバ１００は、加盟店及び商品に関する情報を格納し、顧客の商品検索機能をサポートすることができる。
【００３８】
顧客端末機２００は、商品を検索しようとする顧客に対応する端末機であり得る。
【００３９】
サービス端末機３００は、事業者、すなわち商品販売者に対応する端末機であり得る。
【００４０】
商品販売者は、サービス端末機３００を用いてサーバ１００に加盟店登録を行い、なお、販売しようとする商品をサーバ１００に登録することができる。
【００４１】
もし、商品販売者がオフライン（Ｏｆｆｌｉｎｅ）で商品をサーバ１００に登録すると仮定すると、サービス端末機３００は省略できる。
【００４２】
商品を購買しようとする顧客は、顧客端末機２００を用いて検索式を設定し、設定した検索式をサーバ１００に伝送することができる。
【００４３】
すると、サーバ１００では、顧客端末機２００から受信した検索式を分析して、検索式に対応する商品を検出し、検出した商品に関する情報を顧客端末機２００に伝送することができる。
【００４４】
サーバ１００について、図２を参照してより詳細に説明すると、以下の通りである。
【００４５】
図２を説明すると、サーバ１００は、商品情報管理部１１０、加盟店情報管理部１２０、識別情報管理部１３０、検索式分析部１４０、情報提供部１５０、決済部１６０、注文配送部１７０、通信部１８０、メモリ部１８１、及び制御部１８２を含むことができる。
【００４６】
商品情報管理部１１０は、商品販売者が登録した商品に関する情報を種類別に分類し、管理することができる。または、商品情報管理部１１０は、商品販売者が登録した商品に関する情報を価格によって分類することも可能である。
【００４７】
加盟店情報管理部１２０は、商品販売者が登録した加盟店に関する情報を分類し、管理することができる。例えば、加盟店情報管理部１２０は、複数の加盟店を種類別に分類することができる。
【００４８】
識別情報管理部１３０は、商品販売者が登録した商品に対して商品識別番号を付与し、付与した商品識別情報を管理することができる。
【００４９】
また、識別情報管理部１３０は、商品販売者が登録した加盟店に対して加盟店識別情報を付与し、付与した加盟店識別情報を管理することができる。
【００５０】
検索式分析部１４０は、顧客端末機２００が設定して伝送した検索式を分析し、検索式に対応する商品を抽出することができる。
【００５１】
情報提供部１５０は、検索式分析部１４０が分析した結果に基づいて抽出した商品に関する情報を顧客端末機２００に提供することができる。
【００５２】
決済部１６０は、顧客端末機２００で購買した商品に対する決済を行うことができる。
【００５３】
注文配送部１７０は、顧客端末機２００で購買した商品に対して配送を行うことができる。
【００５４】
通信部１８０は、顧客端末機２００及び／又はサービス端末機３００と通信を行うことができる。
【００５５】
メモリ部１８１は、商品の検索に必要なデータ及びプログラムを格納することができる。なお、メモリ部１８１は、商品に関する情報及び加盟店に関する情報を格納することができる。
【００５６】
制御部１８２は、検索システム１０の全般的な動作及び機能を制御することができる。
【００５７】
検索システム１０に適用される識別番号を用いた商品検索方法について、添付の図面を参照して説明すると、以下の通りである。
【００５８】
図３乃至図１０は、本発明に係る識別番号を用いた商品検索方法について説明するための図である。以下では、以上で説明した部分についての説明は省略できる。
【００５９】
図３を説明すると、商品販売者は、サービス端末機３００を用いて、加盟店に関する情報をサーバ１００に伝送して登録することができる（Ｓ１００）。
【００６０】
すると、サーバ１００では、加盟店に対して加盟店識別情報を割り当て、これに関する情報を格納することができる（Ｓ１１０）。
【００６１】
例えば、図４の場合のように、Ａ衣類売り場には加盟店識別番号１２３１が割り当てられ、Ｂかばん売り場には加盟店識別番号１２３２が割り当てられ、Ｃ家具売り場には加盟店識別番号１２３３が割り当てられ、Ｄ靴売り場には加盟店識別番号１２３４が割り当てられてもよい。
【００６２】
その後、商品販売者は、サービス端末機３００を用いて、商品に関する情報をサーバ１００に伝送して登録することができる（Ｓ１２０）。
【００６３】
すると、サーバ１００では、加盟店に対応する商品に対して商品識別情報を割り当て、これに関する情報を格納することができる（Ｓ１３０）。
【００６４】
例えば、図５の場合のように、それぞれの靴商品に対して、商品識別番号が０１から１０まで割り当てられてもよい。
【００６５】
その後、顧客端末機２００で所定の検索式を入力することができる（Ｓ１４０）。なお、顧客端末機２００は、入力した検索式をサーバ１００に伝送することができる（Ｓ１５０）。
【００６６】
検索式は、加盟店識別番号、特殊記号及び商品識別番号を含むことができる。なお、特殊記号は、シャープ（＃）及びアスタリスクのうちの少なくとも１つを含むことができる。本発明で適用できる特殊記号は、シャープ（＃）及びアスタリスクに限定されない。
【００６７】
検索式において特殊記号は、加盟店識別番号と商品識別番号との間に位置することが好ましい。このような場合、サーバ１００は、加盟店識別番号と商品識別番号をより容易に区分することができる。
【００６８】
また、検索式は、顧客端末機２００のダイヤル（Ｄｉａｌ）入力窓に入力され得る。
【００６９】
例えば、図６の場合のように、加盟店識別番号１２３４、特殊記号（＃）及び商品識別番号０３で構成された検索式を顧客端末機２００のダイヤル入力窓（ＤＩＷ）に入力することができる。
【００７０】
このように、ダイヤル入力窓（ＤＩＷ）に検索式が入力された状態で通話キー（ＣＫ）を選択すると、通話機能が実行されることなく、検索式がサーバ１００に伝送され得る（Ｓ１５０）。もし、特殊記号を使用しなければ、顧客端末機２００は、ダイヤル入力窓に入力された番号で通話を試みるはずである。
【００７１】
すると、サーバ１００では、顧客端末機２００が伝送した検索式を分析することができる（Ｓ１６０）。
【００７２】
例えば、サーバ１００では、特殊記号を基準として特殊記号の前方に位置した識別番号を分析して加盟店を把握し、特殊記号の後方に位置した識別番号を分析して加盟店に対応する商品を把握することができる。
【００７３】
なお、サーバ１００では、検索式の分析結果に基づいて、検索式に対応する商品を検出及び抽出し（Ｓ１７０）、抽出した商品に関する情報（商品情報）を顧客端末機２００に伝送することができる（Ｓ１８０）。
【００７４】
すると、図７の場合のように、検索式に対応する商品に関する情報が顧客端末機２００の画面上に表示され得る（Ｓ１９０）。
【００７５】
顧客は、顧客端末機２００の画面に表示された商品を選択し（Ｓ２００）、選択した商品を購買して決済することが可能である（Ｓ２１０）。すなわち、顧客は、顧客端末機２００の画面上に表示された商品の決済を行うことができる。
【００７６】
一方、検索式において加盟店識別番号と商品識別番号の順序は変わってもよい。例えば、図８の場合のように、検索式において商品識別番号０３、特殊記号（＃）及び加盟店識別番号１２３４が順に配置されることが可能である。
【００７７】
以上では、ダイヤル入力窓（ＤＩＷ）に検索式が入力された状態で通話キー（ＣＫ）を選択する方法で商品を検索する方法について説明したが、本発明は、これに限定されない。
【００７８】
例えば、図９の場合のように、ダイヤル入力窓（ＤＩＷ）に検索式が入力された状態で、商品の検索のための検索キー（ＬＭＫ）を選択して所望の商品を検索することが可能である。
【００７９】
加盟店識別番号と特殊記号のみで検索式を作成することが可能である。このような場合、加盟店識別番号に対応する加盟店に関する情報が顧客端末機２００に表示されることが可能である。
【００８０】
例えば、図１０の（Ａ）の場合のように、顧客端末機２００のダイヤル入力窓（ＤＩＷ）に１２３４＃の検索式を入力する場合を仮定してみよう。ここで、１２３４は加盟店識別番号であり得る。
【００８１】
このような場合、図１０の（Ｂ）又は（Ｃ）のように、顧客端末機２００の画面上には、加盟店識別番号１２３４に対応する加盟店に関する情報が表示され得る。
【００８２】
顧客は、加盟店情報から所望の商品を検索し、選択することが可能である。
【００８３】
図１１乃至図１３は、個人識別番号を用いた商品検索方法について説明するための図である。以下では、以上で説明した部分についての説明は省略できる。
【００８４】
図１１を説明すると、個人識別番号は、住民番号、電話番号及び社会保障番号のうちの少なくとも１つを含むことができる。
【００８５】
ここで、個人識別番号は加盟店識別番号に対応し得、または、個人識別番号は加盟店識別番号に含まれ得る。
【００８６】
顧客端末機２００に個人識別番号と特殊記号とを組み合わせた検索式を入力すると、個人識別番号に対応するホームページに自動接続され得る。
【００８７】
例えば、図１２の（Ａ）のように、０１０８８８８８８８８＃の検索式を顧客端末機２００のダイヤル入力窓に入力する場合を仮定してみよう。
【００８８】
このような場合、図１２の（Ｂ）のように、個人識別番号（電話番号）である０１０８８８８８８８８に対応するユーザのホームページに関する情報を顧客端末機２００の画面上に表示することができる。
【００８９】
個人識別番号、特殊記号及び商品識別番号の組み合わせで検索式を作成することが可能であり得る。
【００９０】
例えば、図１３の（Ａ）の場合のように、０１０８８８８８８８８＃８８の検索式を顧客端末機２００のダイヤル入力窓（ＤＩＷ）に入力することができる。
【００９１】
すると、図１３の（Ｂ）のように、検索式０１０８８８８８８８８＃８８に対応する商品に関する情報を顧客端末機２００の画面上に表示することができる。
【００９２】
検索式０１０８８８８８８８８＃８８を解釈すると、０１０８８８８８８８８の電話番号を有する商品販売者が販売する商品のうちの８８番の商品であると解釈することができる。
【００９３】
図１４乃至図１８は、種類識別番号を用いた商品検索方法について説明するための図である。以下では、以上で説明した部分についての説明は省略できる。
【００９４】
図１４に示したように、ＡＡ売り場（加盟店）で販売する商品の種類を靴と衣類とかばんとに分類（種類）し、それぞれの種類を商品で分類することが可能である。例えば、靴を、ａ革靴、ｂ革靴、わらじ、ゴム靴、スリッパに区分することが可能であり得る。
【００９５】
ここで、商品の種類に種類識別番号を割り当てることができる。例えば、図１５の場合のように、靴には００１の種類識別番号を割り当て、衣類には００２の種類識別番号を割り当て、かばんには００３の種類識別番号を割り当て、食品には００４の種類識別番号を割り当てることが可能である。
【００９６】
なお、種類識別番号をサーバ１００に格納することができる。
【００９７】
このような場合、検索式は、加盟店識別番号、種類識別番号、特殊記号及び前記商品識別番号を含むことができる。
【００９８】
特殊記号は、加盟店識別番号、種類識別番号、商品識別番号を区分するために第１特殊記号と第２特殊記号を含むことができる。
【００９９】
例えば、図１６の（Ａ）の場合のように、顧客は、顧客端末機２００のダイヤル入力窓（ＤＩＷ）に１２３４＃００１＃０３の検索式を入力することが可能であり得る。このような検索式は、加盟店識別番号１２３４、第１特殊記号（＃）、種類識別番号００１、第２特殊記号（＃）、商品識別番号０３を順に含むことができる。
【０１００】
１２３４＃００１＃０３の検索式を図７及び図１５を参照して解釈すると、１２３４の加盟店識別番号が割り当てられた加盟店で販売する靴種類（種類識別番号００１）の商品のうち黒いゴム靴（商品識別番号０３）に関する情報を要求するものと解釈することができる。
【０１０１】
または、検索式は、図１６の（Ａ）とは異なる順序で構成されることも可能である。例えば、図１６の（Ｂ）のように、検索式は、商品識別番号０３、第１特殊記号（＃）、種類識別番号００１、第２特殊記号（＃）、加盟店識別番号１２３４を順に含むことができる。
【０１０２】
このように、検索式において、第１特殊記号は、加盟店識別番号と種類識別番号を区分するために、加盟店識別番号と種類識別番号との間に位置し得る。
【０１０３】
第２特殊記号は、種類識別番号と商品識別番号を区分するために、種類識別番号と商品識別番号との間に位置し得る。
【０１０４】
第１特殊記号及び第２特殊記号のうちの少なくとも１つは、シャープ（＃）及びアスタリスクのうちの少なくとも１つを含むことができる。
【０１０５】
例えば、図１７の（Ａ）のように、第１特殊記号はシャープ（＃）であり、第２特殊記号はアスタリスクであってもよい。
【０１０６】
反対に、図１７の（Ｂ）のように、第１特殊記号はアスタリスクであり、第２特殊記号はシャープ（＃）であってもよい。
【０１０７】
加盟店識別番号、第１特殊記号及び種類識別番号で検索式を作成することが可能である。このような場合、種類識別番号に対応する商品の種類が顧客端末機２００に表示されることが可能である。
【０１０８】
例えば、図１８の（Ａ）の場合のように、顧客端末機２００のダイヤル入力窓（ＤＩＷ）に１２３４＃００１の検索式を入力する場合を仮定してみよう。ここで、１２３４は加盟店識別番号であり、＃は第１特殊記号であり、００１は種類識別番号であり得る。
【０１０９】
このような場合、図１８の（Ｂ）のように、顧客端末機２００の画面上には、加盟店識別番号１２３４に対応する加盟店で販売する商品の種類である靴（種類識別番号００１）に関する情報が表示され得る。
【０１１０】
顧客は、識別番号１２３４に対応する加盟店で販売する靴に関する情報を容易に確認することが可能であり得る。
【０１１１】
このように、上述した本発明の技術的構成は、本発明の属する技術分野の当業者が本発明のその技術的思想や必須特徴を変更せずに他の具体的な形態で実施できるということを理解できるであろう。
【０１１２】
したがって、以上で述べた実施例は、すべての面で例示的なものであり、限定的なものではないと理解しなければならず、本発明の範囲は、前述した詳細な説明よりは、後述する特許請求の範囲によって示され、特許請求の範囲の意味及び範囲、そしてその等価概念から導かれるすべての変更又は変形された形態が本発明の範囲に含まれるものと解釈しなければならない。
【図１】
2019526113.tif 000003
【図２】
2019526113.tif 000004
【図３】
2019526113.tif 000005
【図４】
2019526113.tif 000006
【図５】
2019526113.tif 000007
【図６】
2019526113.tif 000008
【図７】
2019526113.tif 000009
【図８】
2019526113.tif 000010
【図９】
2019526113.tif 000011
【図１０】
2019526113.tif 000012
【図１１】
2019526113.tif 000013
【図１２】
2019526113.tif 000014
【図１３】
2019526113.tif 000015
【図１４】
2019526113.tif 000016
【図１５】
2019526113.tif 000017
【図１６】
2019526113.tif 000018
【図１７】
2019526113.tif 000019
【図１８】
2019526113.tif 000020
【国際調査報告】
2019526113.tif 000021
2019526113.tif 000022
2019526113.tif 000023
2019526113.tif 000024